(57)【要約】【課題】キャップの装着時にパッキン部材がずれることがなく、枠材の端部とキャップとの間を確実に封止することができ、安定して止水性能を発揮することができる枠材及び開口部装置を提供する。【解決手段】中空構造の枠材７の端部にキャップ２３を取付け、該キャップ２３は前記枠材７の中空部８ａ，８ｂに嵌合する嵌合部２７，２９を有し、該嵌合部２９の周囲に受部４１を設け、該受部４１に枠材７とキャップ２３との隙間を封止するパッキン部材５０を装着している。【選択図】          図７
2004176263.tif 000002
【特許請求の範囲】
【請求項１】
中空構造の枠材の端部にキャップを取付け、該キャップは前記枠材の中空部に嵌合する嵌合部を有し、該嵌合部の周囲に受部を設け、該受部に枠材とキャップとの隙間を封止するパッキン部材を装着したことを特徴とする枠材。
【請求項２】
建物の開口部に設けられる上枠、下枠及び左右の縦枠からなる枠体を有する開口部装置であって、少なくとも前記縦枠は中空構造とされ、該縦枠の下端部にキャップを取付け、該キャップは前記枠材の中空部に嵌合する嵌合部を有し、該嵌合部の周囲に受部を設け、該受部に縦枠の下端部とキャップとの隙間を封止するパッキン部材を装着したことを特徴とする開口部装置。
【発明の詳細な説明】
【０００１】
【発明の属する技術分野】
本発明は、枠材及び開口部装置に係り、特に中空構造の枠材の端部に装着されるキャップと枠材との間の止水構造を改良した枠材及び開口部装置に関する。
【０００２】
【従来の技術】
建物開口部に取り付けられる開口部装置として、例えばシャッター付サッシが知られている（例えば、特開平９−３１７３５２号公報参照）。このシャッター付サッシにおいては、上枠、下枠及び左右の縦枠からなる枠体を有し、その縦枠の下端部には、意匠性の向上及び怪我の防止等のために、小口隠しとしてキャップを嵌め込んでいる。その際、縦枠とキャップとの間に隙間が生じると、躯体工事等の条件によっては、当該隙間に生じる毛細管現象によって雨水が躯体側に浸入して漏水事故となってしまう場合がある。
【０００３】
これを防止するために、スポンジ状のシール部品を縦枠の下端部とキャップとの間に挟み込んでシールすることが行われている。
【０００４】
【特許文献１】
特開平９−３１７３５２号公報
【０００５】
【発明が解決しようとする課題】
しかしながら、スポンジ状のシール部品は両面テープや粘着材等によってキャップに貼り付けるようにしているため、キャップの嵌合装着時にシール部品に位置ズレや捩れ等が生じやすく、安定した止水性能を得ることが困難であった。また、スポンジ状のシール部品は、シート状のものから抜き型等で成形するため、最適形状としづらい面もあった。
【０００６】
本発明は、前記事情を考慮してなされたもので、枠材の端部とキャップとの間を確実にシールすることができ、安定した止水性能が得られる枠材及び開口部装置を提供することを目的とする。
【０００７】
【課題を解決するための手段】
本発明のうち、請求項１の発明は、中空構造の枠材の端部にキャップを取付け、該キャップは前記枠材の中空部に嵌合する嵌合部を有し、該嵌合部の周囲に受部を設け、該受部に枠材とキャップとの隙間を封止するパッキン部材を装着したことを特徴とする。
【０００８】
また、請求項２の発明は、建物の開口部に設けられる上枠、下枠及び左右の縦枠からなる枠体を有する開口部装置であって、少なくとも前記縦枠は中空構造とされ、該縦枠の下端部にキャップを取付け、該キャップは前記枠材の中空部に嵌合する嵌合部を有し、該嵌合部の周囲に受部を設け、該受部に縦枠の下端部とキャップとの隙間を封止するパッキン部材を装着したことを特徴とする。
上記の構成でなる枠材および開口部装置によれば、キャップの嵌合部の受部にパッキン部材を確実に止着させて、当該パッキン部材の位置ズレや捩れを防止しつつ枠材端部にキャップを嵌合させることができるとともに、パッキン部材によって高性能な止水性を得ることができる。このため、室内側に侵入水が漏出することを確実に防止できて、高い止水性能を安定して得られる枠材および開口部装置を提供することができる。
【０００９】
【発明の実施の形態】
以下に、本発明の実施の形態を添付図面に基いて詳述する。図１は本発明をシャッター付サッシに適用した実施の形態を示す概略的斜視図、図２は同シャッター付サッシの縦断面図、図３は同シャッター付サッシの横断面図、図４はキャップを示す図で、（ａ）は平面図、（ｂ）は側面図、（ｃ）は縦断面図である。図５はパッキン部材を示す図で、（ａ）は平面図、（ｂ）は（ａ）の矢印ｂ方向から見た側面図、（ｃ）は（ａ）の矢印ｃ方向から見た背面図、（ｄ）は（ａ）の矢印ｄ方向から見た正面図、図６は縦枠の下端部のキャップ取付部分を下方から示す斜視図、図７は図４のｄ−ｄ線概略的拡大断面図である。
【００１０】
図１〜図３において、１は開口部装置として例示したシャッター付サッシである。このシャッター付サッシ１は、建物の躯体２の開口部に取付けられる上枠３と下枠５及び左右の縦枠７とからなる枠体（サッシ枠）９を備えている。この枠体９内には内外の障子１１ａ，１１ｂが引違い状に開閉自在に設けられている。また、枠体９内には障子１１ａ，１１ｂの室外側に網戸１２が設けられている。
【００１１】
左右の縦枠７の上端部間には天板１３が掛け渡され、この天板１３及び上枠３で囲まれた箇所がシャッターボックス１５として形成されている。このシャッターボックス１５内にはシャッターカーテン１７（スラットともいう）を巻上げ下げ（巻上げ、巻降ろし）する巻取部１９が設けられている。前記左右の縦枠７の前部には前記シャッターカーテン１７の両側部を支持案内するガイドレール２１が取付けられている。
【００１２】
前記上枠３，下枠５、縦枠７、天板１３及びガイドレール２１は、例えばアルミニウム合金の押出形材からなり、中空構造（ホロー構造）とされている。前記枠体２は、左右の縦枠７，７の対向する内側面間に上枠３、下枠５及び天板１３を掛け渡した（横架した）縦通し構造になっており、両縦枠７，７の下端部の端面（小口面）が露出する構造となっている。このため、当該小口面を隠して意匠性を向上させるとともに、当該小口のエッジで怪我等をしないように、小口が露出する縦枠７，７の下端部にはこれを覆うキャップ２３が取付けられている。
【００１３】
図示例の縦枠７は、図３に示すように隔壁７ａで仕切られて室内外方向に並設された２つの矩形断面の中空部８ａ，８ｂを有している。また、縦枠７の下端部は、図２に示すようにその室内外方向略中間部から室外側の下端面１０ａが、室内側の下端面１０ｂよりも下方に突出していて階段状になっている。これは下枠５の下面形状に合せて形成されており、階段状により雨水等の水を室外側に導いて排水し、室内側すなわち躯体２側へ水が向うのを抑制している。
【００１４】
前記キャップ２３は、合成樹脂成型品からなり、図４に示すように縦枠７の下端面（小口面）に当接して２つの中空部８ａ，８ｂを覆う端板２５と、この端板２５の上面から上方に環状に突出形成されて縦枠７の２つの中空部８ａ，８ｂにそれぞれ嵌合する２つの矩形筒状の嵌合部２７，２９とを有している。そして、これら嵌合部２７，２９下端の外周面よりも外方に突出している端板２５の外周部分が、縦枠７下端の小口面に当接するフランジ部２５ｆとなっている。端板２５は、縦枠７の下端部の階段状の下端面１０ａ，１０ｂに対応して室外側端板部２５ａ及び室内側端板部２５ｂを有するように階段状に形成されている。
【００１５】
嵌合部２７，２９の突出端側外周部には、中空部８ａ，８ｂへの嵌合挿入を容易にするための傾斜面３１が先細り状に形成されている。また、嵌合部２７，２９における窓幅方向の両側面には、縦枠７の中空部内周面に形成された係合孔（図示せず）に係合させて、当該キャップ２３を固定係止せるための係合片３３，３５が形成されている。室外側の嵌合部２７には、係合片３３がコ字状のスリット３７によって上端部側から垂下されて舌片上に形成されている。室内側の嵌合部３５には、上端部側から下方に切り欠かれた切欠部３９ａと切欠溝３９ｂとによって上方に延びた舌片状に形成されている。
【００１６】
また、室内側の嵌合部２９の周囲すなわち外周面には、図７にも示すようにパッキン部材５０を装着するための受部（パッキン受部）４１が設けられている。この受部４１は本実施例では嵌合部２９の下端側外周面に凹設した一条の環状溝に形成されている。室内側の嵌合部２９には、室外側端板部２５ａ側に嵌合部２９の内部と外部とを連通し、縦枠７の中空部８ｂに浸入した雨水等の水を排水するための排水孔４３が開口形成されている。また、室外側端板部２５ａには、各嵌合部２７，２９の内部と外部とを連通し、縦枠７の中空部８ｂ，８ａに浸入した雨水等の水を排水するための排水口４５，４６が開口形成されている。
【００１７】
パッキン部材５０は、縦枠７の下端部とキャップ２３との隙間を封止するためのもので、弾性及び気密性を有する材料例えばゴム、軟質合成樹脂等の成型品からなっている。このパッキン部材は、図５に示すように平面矩形環状に形成されており、自らの弾性力で前記キャップ２３の室内側嵌合部２９における受部４１に嵌合装着されている。
【００１８】
パッキン部材５０外周部には、縦枠７の室内側中空部８ｂの内周面に圧接されて隙間を封止するため、外方に向けて断面略三角形状に突出した止水突条部５１が形成されている。また、パッキン部材５０の下端縁には、キャップ２３のフランジ部２５ｆと縦枠７の下端小口面との隙間を封止するため、外方に薄片状に突出したヒレ部５３が形成されている。このヒレ部２５は室内側端板部２５ｂのフランジ部２５ｆ上面に当接されている。図示例では、止水突条部５１とヒレ部５３とは室内側端板部２５ｂに対応する部分のみに形成されているが、パッキン部材５０の全周に形成されていても良い。
【００１９】
なお、図示例の縦枠７にあっては、図６に示すようその下端の小口面から更に下方に延出されて躯体２への取付板部７ｂが設けられ、この取付板部７ｂが室内側の中空部８ｂを区画形成する室内側壁部の直下に連続して設けられいる。このため、キャップ２３には室内側に突出するフランジ部２５ｆは形成されないが、キャップ２３の室内側端板部２５ｂの室内側端部と、室内側中空部８ｂの室内側内壁面に連なる取付板部７ｂ外面との隙間をシールするために、前記パッキン部材の室内側端縁部には舌片状のヒレ部３１ａが突出して形成されている。キャップ２３の装着時にこのヒレ部３１ａが下方に変形してキャップ２３の室内側端板部２５ｂの室内側端部と、取付板部７ｂ外面との間に介在される。
【００２０】
以上のように構成される開口部装置にあっては、パッキン部材５０を装着したキャップ２３を縦枠７の下端に嵌合させて装着すると、パッキン部材５０の止水突条５１がパッキン受部４１と中空部８ｂ内面との間で挟圧されて、これらの間の隙間が封止される。また、ヒレ部５３が縦枠７下端の小口面とキャップ２３の室内側端板部２５ｂのフランジ２５ｆとに挟圧されてこれらの間の隙間が封止される。
【００２１】
このため縦枠７の中空部８ｂ内に上端部側から雨水等の水が浸入し、その内面を伝って流下したとしても、パッキン部材５０の止水突条５１及びヒレ部３１により阻止されて室内側端板部２５ｂ部分から漏れ出ることがなく、室外側端板部２５ａ側の排水口４３や４６から外部に排出される。このため、雨水等の水がキャップの室内側端板部と縦枠の下端部との間を毛細管現象で室内側すなわち躯体２側に向って濡らすのを抑制ないし防止することができる。
【００２２】
また、パッキン部材５０は、弾性（弾力性）及び止水性を有する材料例えばゴム、軟質合成樹脂の成型品からなるため、キャップ２３の受部４１に容易に且つ確実に装着することができ、溝状の受部４１に嵌合しているためキャップの取付時にずれることがなく、安定して止水性能を発揮することができる。
【００２３】
以上、本発明の実施の形態を図面により詳述してきたが、本発明は前記実施の形態に限定されるものではなく、本発明の要旨を逸脱しない範囲での種々の設計変更等が可能である。例えば、本発明はシャター付サッシ以外に、シャッター、サッシ、出窓等にも適用可能である。キャップ２３に設けられる受部である溝の断面形状としては、曲面状であっても良く、また、複数条の溝からなっていても良い。縦枠の上端部にキャップを取付ける場合にも請求項１の発明が適用可能である。また、請求項１の発明は、縦枠に限定されず、横通し組立構造における横枠にも適用可能である。
【００２４】
【発明の効果】
以上要するに本発明によれば、次のような効果を奏することができる。
【００２５】
（１）請求項１の発明によれば、中空構造の枠材の端部にキャップを取付け、該キャップは前記枠材の中空部に嵌合する嵌合部を有し、該嵌合部の周囲に受部を設け、該受部に枠材とキャップとの隙間を封止するパッキン部材を装着したので、キャップの装着時にパッキン部材がずれることなく、枠材の端部とキャップとの間を確実に封止することができ、安定して止水性能を発揮することができる。
【００２６】
（２）請求項２の発明によれば、建物の開口部に設けられる上枠、下枠及び左右の縦枠からなる枠体を有する開口部装置であって、少なくとも前記縦枠は中空構造とされ、該縦枠の下端部にキャップを取付け、該キャップは前記枠材の中空部に嵌合する嵌合部を有し、該嵌合部の周囲に受部を設け、該受部に縦枠の下端部とキャップとの隙間を封止するパッキン部材を装着したので、キャップの装着時にパッキン部材がずれることがなく、縦枠の下端部とキャップとの間を確実に封止することができ、安定して止水性能を発揮することができる。
【図面の簡単な説明】
【図１】本発明をシャッター付サッシに適用した実施の形態を示す概略的斜視図である。
【図２】同シャッター付サッシの縦断面図である。
【図３】同シャッター付サッシの横断面図である。
【図４】キャップを示す図で、（ａ）は平面図、（ｂ）は側面図、（ｃ）は縦断面図である。
【図５】パッキン部材を示す図で、（ａ）は平面図、（ｂ）は（ａ）の矢印ｂ方向から見た側面図、（ｃ）は（ａ）の矢印ｃ方向から見た正面図、（ｄ）は（ａ）の矢印ｄ方向から見た背面図である。
【図６】縦枠の下端部のキャップ取付部分を下方から示す斜視図である。
【図７】図４の（ｂ）のｄ−ｄ線概略的拡大断面図である。
【符号の説明】
１  シャッター付サッシ（開口部装置）
３  上枠
５  下枠
７  縦枠（枠材）
８ａ，８ｂ  中空部
９  枠体
２３  キャップ
２７，２９  嵌合部
４１  受部
５０  パッキン部材
【図１】
2004176263.tif 000003
【図２】
2004176263.tif 000004
【図３】
2004176263.tif 000005
【図４】
2004176263.tif 000006
【図５】
2004176263.tif 000007
【図６】
2004176263.tif 000008
【図７】
2004176263.tif 000009